(57)【要約】【課題】デジタル加入者線伝送（ＤＳＬ：Digital Subscriber Line）通信に用いられ、ＤＳＬ回線上の高周波域信号を遮断し、低周波域信号を通過させるローパスフィルタはインダクタとキャパシタにより構成されているが、ＰＳＴＮ（Public Switched Telephone Network）ポートからみたインピーダンスが遮断周波数付近で急峻に増大する特性を持つため、ＩＳＤＮ（Integrated  Service Digital Network）通信に障害をもたらす。【解決手段】ＤＳＬ用ローパスフィルタのＰＳＴＮポート側の線間キャパシタＣ３と直列に抵抗ＲＳ１を設ける。【選択図】図１
2005123966.tif 000002
【特許請求の範囲】
【請求項１】
高周波域信号を遮断し、低周波域信号を通過させる特性を有するローパスフィルタ部のＰＳＴＮポート側の線間キャパシタと直列に抵抗を設けたことを特徴とするＤＳＬ用ローパスフィルタ。
【請求項２】
前記抵抗の値が１０Ωから６０Ωまでであることを特徴とする請求項１に記載のＤＳＬ用ローパスフィルタ。
【発明の詳細な説明】
【技術分野】
【０００１】
本発明は、既存の電話回線を使って電話サービスと併存しながら高速データ伝送を行うデジタル加入者線（Digital Subscriber Line  以下、ＤＳＬと記す）通信に用いられるローパスフィルタに関するものである。
【背景技術】
【０００２】
近年、インターネットサービスが一般家庭を含めて社会全体へ広く普及してきている。このようなサービスを安価に提供するため、既存のメタリック電話回線を利用して高速データ通信を実現する非対称型デジタル加入者線（ＡＤＳＬ：Asymmetric  Digital  Subscriber  Line）通信が急激に普及している。
【０００３】
また、主に集合住宅などの既存の建物内のメタリック電話回線を利用するＶＤＳＬ（Very highbitrate Digital Subscriber Line）は、ＤＳＬ技術の中で、現在、最も高速な通信を行う技術で、光ファイバー方式に近い高速データ通信を行うことができる。 ＶＤＳＬでは、電話とＩＳＤＮ（Integrated Service Digital Network）サービスで使用しない数百ｋＨｚ以上の帯域を高速デジタル信号の伝送に使用し、一方で４ｋＨｚ以下の帯域は従来通り音声信号の伝送に使用し、数ｋＨｚ〜数百ｋＨｚの帯域はＩＳＤＮ信号の伝送に使用する。そのため、施設内の電話回線上には音声信号、ＩＳＤＮ信号、ＶＤＳＬ信号が混在しており、施設の管理室（例えばマンション管理室）などに設けるＭＤＦ（Main Distribution Frame）側、及び加入者の宅内に設ける端末側ではスプリッタを使用してその音声信号、ＩＳＤＮ信号とＶＤＳＬ信号を分離している。
【０００４】
図３は、ＶＤＳＬ方式の基本的な配置構成を示したものである。図３に示すように、施設内電話回線１４のＭＤＦ側にはスプリッタ１２が接続され、一方、その加入者の宅内には端末側のスプリッタ１５が接続される。スプリッタの内部には、電話回線上で高速デジタル信号と混在している音声信号とＩＳＤＮ信号を分離するため、数百ｋＨｚ以下の通過帯域をもつローパスフィルタと数百ｋＨｚ以上の通過帯域をもつハイパスフィルタがある。スプリッタ１２及び１５で分離された音声信号は屋外の公衆電話回線網１１、そして加入者側の電話機１７にそれぞれ与えられる。ＶＤＳＬ信号のやりとりは、端末側モデム１６，スプリッタ１５，施設内電話回線１４，ＭＤＦ側モデム１３のルートを介して、パソコン１８とインターネット網１９の間で行われる。
【０００５】
図４にＶＤＳＬ用スプリッタ１００の構成を示す。その構成はローパスフィルタ３０とハイパスフィルタ４０から成る。その役割は、施設内電話回線上に混在している音声信号、ＩＳＤＮ信号とＶＤＳＬ信号を分離するものであり、ローパスフィルタは数百ｋＨｚ以下の通過帯域を有し、ハイパスフィルタは数百ｋＨｚ以上の通過帯域を有している。
【０００６】
ローパスフィルタ３０はＬｉｎｅポート（この場合は施設内電話回線が接続されるポート）から音声信号とＩＳＤＮ信号をＰＳＴＮ（Public Switched Telephone Network）ポート（この場合は、公衆電話回線網、電話機、ＩＳＤＮ機器が接続されるポート）に通過させるものである。図５に従来のローパスフィルタ３０の構成を示す。キャパシタとインダクタを梯子型に構成したもので、図示は６次の構成であるが、要求減衰量によっては段数を増減し、２次、４次、８次などの構成をとることもある。ＶＤＳＬ方式では、ＶＤＳＬ帯域はＩＳＤＮ帯域より高周波側に設定されており、ローパスフィルタの遮断周波数もＩＳＤＮ帯域の上限周波数（３２０ｋＨｚ）より高く設定されている。
【０００７】
ＤＳＬ用ローパスフィルタでは、Ｌｉｎｅポート側の線間にキャパシタと抵抗の直列回路を設けることが検討されている（特許文献１）。特許文献１では、回線の終端がオープン状態であっても、減衰量特性にて、減衰のピークが生じないＤＳＬ用フィルタとして、インダクタ２個とキャパシタ１個とで形成された２次構成のローパスフィルタのＬｉｎｅポート側に抵抗とキャパシタの直列接続で構成される終端機能素子部を設けた構成が示されている。
【特許文献１】特開２００３−７８４５３号公報（図１）
【発明の開示】
【発明が解決しようとする課題】
【０００８】
ＤＳＬ回線上の高周波域信号を遮断し、低周波域信号を通過させるＤＳＬ用ローパスフィルタはインダクタとキャパシタを梯子型に組合せて構成されているが、遮断周波数付近でインピーダンスが急峻に増大する特性を持つため、ＩＳＤＮ（Integrated  Service Digital Network）通信に障害をもたらす場合がある。本発明は以上の問題点を解決すべく創案されたもので、ＩＳＤＮ接続障害の無いＤＳＬ用ローパスフィルタを提供することである。
【課題を解決するための手段】
【０００９】
本発明は、高周波域信号を遮断し、低周波域信号を通過させる特性を有するローパスフィルタ部のＰＳＴＮポート側の線間キャパシタと直列に抵抗を設けたＤＳＬ用ローパスフィルタである。
【００１０】
また本発明は、上記抵抗の値が１０Ωから６０ΩまでであるＤＳＬ用ローパスフィルタである。
【発明の効果】
【００１１】
本発明によれば、遮断周波数付近でのＰＳＴＮポートからみたインピーダンスの増大が抑制されるため、ＩＳＤＮ通信障害の無いＶＤＳＬ用ローパスフィルタとなる。
【発明を実施するための最良の形態】
【００１２】
以下、図面に基づいて本発明によるＤＳＬ用ローパスフィルタの実施例を、ＶＤＳＬ方式の場合をもとに説明する。なお、この実施例により本発明が限定されるものではない。
【００１３】
図１は本発明に係るＤＳＬ用スプリッタのローパスフィルタの回路図であり、６次構成の例である。記述したようにＶＤＳＬ方式では、ローパスフィルタの遮断周波数はＩＳＤＮ帯域の上限周波数（３２０ｋＨｚ）より高く設定されているおり、本発明においても遮断特性は同様に設定されている。従来例との差異は、ＰＳＴＮポート側の線間キャパシタＣ３と直列に抵抗ＲＳ１が設けられていることである。
【００１４】
図２は図１に示すＤＳＬ用ローパスフィルタのＰＳＴＮポート側から測定したインピーダンスの周波数特性であり、抵抗ＲＳ１をパラメータとしている。ＲＳ１＝０Ωは従来例と同じ状態であり、ローパスフィルタの遮断周波数に近い４００ｋＨｚ付近にインピーダンスのピークが７７４Ωもあり、Ｌｉｎｅの特性インピーダンス１１０Ωに比較してかなり大きい。実際にこの状態でＩＳＤＮ機器を結線し、各種条件で試験した時にＩＳＤＮ通信ができない場合が生じた。ＲＳ１を１０Ω、３０Ω、６０Ω、１１０Ωに変化させた場合は、４００ｋＨｚ付近のインピーダンスのピークが低下しており、この状態ではＩＳＤＮ機器の通信障害は発生しなかった。但し、ＲＳ１＝１１０Ωではローパスフィルタの遮断特性としてＶＤＳＬ規格に適合できなかった。表１はこれらの実験結果をまとめたものである。
【００１５】
【表１】
2005123966.tif 000003
【００１６】
ＤＳＬ用ローパスフィルタのＰＳＴＮポート側の線間キャパシタＣ３と直列に抵抗ＲＳ１を設けることにより、ＩＳＤＮ通信障害を無くすことができる。また、前記抵抗ＲＳ１を１０Ωから６０Ωとすることで、ＩＳＤＮ通信障害とローパスフィルタの遮断特性とを両立させることができる。
【図面の簡単な説明】
【００１７】
【図１】本発明に係るＤＳＬ用ローパスフィルタの回路図である。
【図２】ＤＳＬ用ローパスフィルタのＰＳＴＮポート側から測定したインピーダンス特性図である。
【図３】ＶＤＳＬ方式における基本的な配置を示す構成図である。
【図４】ＶＤＳＬ用スプリッタの構成図である。
【図５】従来のＤＳＬ用ローパスフィルタの回路図である。
【符号の説明】
【００１８】
１１  電話回線網
１２  スプリッタ
１３  ＭＤＦ側モデム
１４  施設内電話回線
１５  スプリッタ
１６  端末側モデム
１７  電話機
１８  パソコン
１９  インターネット網
３０  ローパスフィルタ
４０  ハイパスフィルタ
１００  ＶＤＳＬ用スプリッタ
【図１】
2005123966.tif 000004
【図２】
2005123966.tif 000005
【図３】
2005123966.tif 000006
【図４】
2005123966.tif 000007
【図５】
2005123966.tif 000008
【手続補正書】
【提出日】平成16年6月17日(2004.6.17)
【手続補正１】
【補正対象書類名】特許請求の範囲
【補正対象項目名】請求項２
【補正方法】変更
【補正の内容】
【請求項２】
前記抵抗の値が１０Ωから６０Ωの範囲であることを特徴とする請求項１に記載のＤＳＬ用ローパスフィルタ。
【手続補正２】
【補正対象書類名】明細書
【補正対象項目名】００１３
【補正方法】変更
【補正の内容】
【００１３】
図１は本発明に係るＤＳＬ用スプリッタのローパスフィルタの回路図であり、６次構成の例である。記述したようにＶＤＳＬ方式では、ローパスフィルタの遮断周波数はＩＳＤＮ帯域の上限周波数（３２０ｋＨｚ）より高く設定されており、本発明においても遮断特性は同様に設定されている。従来例との差異は、ＰＳＴＮポート側の線間キャパシタＣ３と直列に抵抗ＲＳ１が設けられていることである。
【手続補正３】
【補正対象書類名】明細書
【補正対象項目名】００１６
【補正方法】変更
【補正の内容】
【００１６】
ＤＳＬ用ローパスフィルタのＰＳＴＮポート側の線間キャパシタＣ３と直列に抵抗ＲＳ１を設けることにより、ＩＳＤＮ通信障害を無くすことができる。また、前記抵抗ＲＳ１を１０Ωから６０Ωとすることで、ＩＳＤＮ通信障害をなくすこととローパスフィルタの遮断特性とを両立させることができる。
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
高周波域信号を遮断し、低周波域信号を通過させる特性を有し、その遮断周波数が３２０ｋＨｚより高く設定されているローパスフィルタ部のＰＳＴＮポート側の線間キャパシタと直列に１０Ωから６０Ωの範囲の抵抗を設けたことを特徴とするＶＤＳＬ用ローパスフィルタ。
【手続補正２】
【補正対象書類名】明細書
【補正対象項目名】０００９
【補正方法】変更
【補正の内容】
【０００９】
本発明は、高周波域信号を遮断し、低周波域信号を通過させる特性を有すし、その遮断周波数が３２０ｋＨｚより高く設定されているローパスフィルタ部のＰＳＴＮポート側の線間キャパシタと直列に抵抗を設けたＶＤＳＬ用ローパスフィルタである。
【手続補正３】
【補正対象書類名】明細書
【補正対象項目名】００１０
【補正方法】変更
【補正の内容】
【００１０】
また本発明は、上記抵抗の値が１０Ωから６０ΩまでであるＶＤＳＬ用ローパスフィルタである。